(57)【要約】      （修正有）【課題】泥棒や空き巣ねらいやピッキングなど色々有りますが、一番に、玄関のドア、扉など閉めたのは閉めたけど鍵の鍵忘れ、慌てていてうっかり鍵をかけたかかけなかったか心配になつた時など、同じく車のドアなど。【解決手段】玄関のドアや扉、大事な物の保管場所のドアや扉、車のドア、車のドアの中とか色んな所に取り付けが出来て確実に入り口のドア、扉を完全にロックし開がなくする。ドア、扉が完全に締まってしまえば確実にロックして開かなくなる。開けるには、専用の鍵「図  ４」と「図  １６」を取り付け、専用の合鍵で解除出来る。「図  ８」と「図  ９」配線図のようにすれば、合鍵でも、専用のリモコンでも、携帯電話でも、ロック用ピンの解除が出来る。その為、ドアや扉には鍵の変わりに取っ手を取り付けて、内側に本発明品を取り付ければ、外からは何も出来ない。用心ぶかい方には、本発明品を二カ所取り付けて、一つの電源部に接続して使用出来る。ドアや扉や引き戸など、確実に締まっていれば、確実に完全にロックをして開かないようにする。【特許請求の範囲】
2005220722.tif 000015
【発明の詳細な説明】
2005220722.tif 000002
2005220722.tif 000003
2005220722.tif 000004
2005220722.tif 000005
2005220722.tif 000006
2005220722.tif 000007
2005220722.tif 000008
2005220722.tif 000009
2005220722.tif 000010
2005220722.tif 000011
2005220722.tif 000012
2005220722.tif 000013
2005220722.tif 000014
2005220722.tif 000016
2005220722.tif 000017
【手続補正書】
【提出日】平成16年8月9日(2004.8.9)
【手続補正１】
【補正対象書類名】明細書
【補正対象項目名】全文
【補正方法】変更
【補正の内容】
【発明の詳細な説明】
【技術分野】
【０００１】この発明は、一般の家庭やアパートやマンションや車体のドアなど、ドアや扉など開閉をして出入りする所の、ドアとドアの枠に扉と扉の枠に取り付けて、ドアや扉をロックするもので、ロックされると完全に開ける事が出来なくなる。
【背景技術】
【０００２】現在、玄関や車の開閉装置で色んな方法が有りますが、この発明は、「図  ２」ドアが閉まったじてんでドアがロックされて、「図  ４」専用の鍵で鍵本体のロックを合鍵でロックして、同時に二重ロックが出来、その合鍵でないとドアは開かない。「図  ２」でドアの枠１に２本体に取り付けた、１９ロック用のピンが、ドアに取り付けた、９ロック用ピン受け金具の中に入り込み、ドアを完全に開かなくする。１９ロック用ピンを作動させるのが、１６の鉄心にエナメル線を巻き付けて、電磁石として電源を入れるとロック用ピンを磁力で引き上げられて、ドアのロックは、解除されドアを開けることが出来る。【０００３】１６、鉄心に巻き付けたエナメル線１７を電源側に接続して、電源側から「図  ４」、専用の鍵の本体のシリンダに５６、２８、５２で接続する。鉄心に巻きつけた片方のエナメル線「図  ４」の１８を５５、３３スイッチ用電極板に接続して、鍵穴に合鍵２５を差し込み、３０スイッチ用ピンが、３３スイッチ用電極板に当たり、１９ロック用のピンは解除されるが、本体の２７キーポイントと合鍵の５４キーポイントが合った時、鍵を回した時、鍵本体のロックが解除されてドアを開けて部屋に入れるようになり、室内から４７ロックすると二重ロックです。【０００４】室内から出る時は、４８室内ハンドルを廻した時、室内側のシリンダに３４、３５で固定をした電極板が、３３のスイッチ用電極板に当たり、室内側のスイッチとして、ロック用ピンの解除が出来る、その時の配線は５６と４４を接続して一本にして１８に接続する。「図  ８」の配線図です。【０００５】専用の鍵と合鍵を使わずに、鉄心に巻き付けたエナメル線の１７と１８を電源側と受信機を一体化させて、送信機、リモコン、携帯電話などで、スイッチが入れられて、ドア側には取っ手だけでいい。室内からは電源より直接スイッチを設けて、室内からのロック用ピンの解除スイッチにする。【０００６】車体への取り付けで、「図  １４」と「図  １５」の方法が有り、「図  １４」図は現在、乗っている車に取り付けです。車体のドアの枠側に、２本体を取り付けて、ドアの上側に９ピン受け金具を取り付けて、「図  １６」図、専用の鍵を現在、取り付けてある所に設置して、「図  １９」仕組みと配線図の説明と同じで、１６鉄心にエナメル線を巻き付けた電磁石部の線１７を、バッテリーを電源１１２に接続して、片方の１８の線を鍵本体のシリンダの３１絶縁体で止めてある３３電極板側の５５に接続して、２７合鍵のキーポイントと５４のシリンダ内のキーポイントが合鍵を差し込んで、３０スイッチ用ピンが３３電極板に当たり、電流が流れ電磁石となり、ロック用ピンは引き上げられロックは解除されるが、鍵本体のロックはされたままなので、２７と５４のキーポイントが合って合鍵を廻した時に、鍵本体のロックが解除されてドアを開ける事が出来る。この時、鍵本体の電源は車体に流れている電流を使い、車内からのロック用ピンの解除は、現在のドアにロック用のハンドルレバーに接続をして、取り付けた本体のロック用ピンと、現在のロックが同時に作動をして解除出来る用にする。本体とピン受け金具には保護カバー「図  １８」を取り付ける。【０００７】車体のドアの中の下側「図  １５」と「図  １５」ＡＡ断面図のように本体部をドアの中の下側に取り付けて、９ロック用ピンを受ける金具をドアの下の車体側に、９ロック用ピン受け金具を取り付けて、車体のドアを完全にロックする、ドアを閉めたときに、現在、車体に取り付けられているロックでドアを固定ロックした時、本体のロック用ピン１９が、車体に取り付けた９ロック用ピン受け金具「図  １３」図の１１のようになっているために、１９ロック用ピンは自然と９ロック用ピン受け金具の穴に入りロックされ、ドアを開ける時は「図  １６」図の車体ドア専用の鍵本体と合鍵で、現在、取り付けてある所に設置して、【０００６】の「図  １９」仕組みと配線図の説明と同じで、１６鉄心にエナメル線を巻き付けた電磁石部の線１７をバッテリーを電源１１２に接続して、片方の１８の線を鍵本体のシリンダの３１絶縁体で止めてある、３３電極板側の５５に接続して、２７合鍵のキーポイントと５４シリンダ内のキーポイントが合鍵を差し込んで、３０スイッチ用ピンが３３電極板に当たり、電流が流れ電磁石となり、ロック用のピンは引き上げられロックは解除されるが、鍵本体のロックはロックされたままで、２７と５４のキーポイントが合って、合鍵を廻した時に、鍵本体のロックが解除されて、ドアを開けることが出来る。この時、鍵本体の電源は車体に流れている電流を使い、車内からのロック用ピンの解除は、現在のドアにロック用のハンドルレバーに接続をして、取り付けた本体のロック用ピンと、現在のロックが同時に作動をして、解除出来る用にする。本体部には保護カバー「図  １８」を取り付ける。
【発明の開示】
【発明が解決しようとする課題】
【０００８】泥棒や空き巣ねらいやピッキングなど、色々と手口がありますが、それらの手口から、玄関のドアや扉の、鍵本体のロック金具と別に、ドアの枠とドアに「図２」のように、本体とピン受け金具を取り付けて、二重にロックして開かないようにして、専用の鍵と合鍵、専用のリモコンスイッチで開閉が出来るようにしました。
【課題を解決するための手段】
【０００９】マンションなどには完璧な装置で守られていて良いのですが、アパートとか一般住宅とか色々ありますが。この発明品は、簡単に取り付けられて、電源の１００ＶをＡＣ、ＤＣアダプターで電源ボックスの中で受信機と接続して、２の本体部の作動部１６電磁石の１７と１８の線を電源ボックスの受信機をスイッチとしてリモコンスイッチで、作動部１６電磁石がロック用ピンを引き上げロックが解除されて、ドアを引いて開けられる。この方法だとドアには取っ手だけでいい。
室内からもリモコンスイッチで解除出来る。
アパートとか集合住宅など「図  ９」の１０８と１０９の配線を管理室へ、セキユリテイーとして配線をして管理室で管理出来る。
専用の鍵と合鍵でも取り付けできる。「図  ８」図です。
ドアや扉や引き戸など、完全に締まれば、ロック用ピンがピン受け金具の穴に入り、自然とロックがかかり安心出来る。鍵のかけ忘れがなくなる。
【発明の効果】
【００１０】ドアや扉や引き戸など色々ありますが、ピタット締まっていれば、確実にロック用のピンがピン受け金具の穴に入り、確実に完全にロックをして開かなくする。専用の鍵を取り付ければ、二重にロックをしたことになり、専用の合鍵で開けられ、リモコンだけにすれば取っ手だけですむ、ひつぱるだけなので頑丈な物を取付けない。
【発明を実施するためる最良の形態】
【００１１】「図  １２」図の本体の作動部の寸法で製作をして、「図  １３」図のロック用ピン受け金具と座金の寸法で製作をして、「図  ３」１９ロック用ピンを機械加工をして、「図  ３」の用にセットをして、「図  ２」の用に、ドアの枠側に、２本体部を取り付けて、ドアに９ピン受け金具を取り付けて、ドアの鍵部に「図４」鍵の仕組みの部分と２５合鍵を製作をして、「図  ８」本体と専用の鍵の配線図の用に、電源部と受信機と送信機など全体を製作して実際に行なう。
【産業上の利用可能性】
【００１２】この発明品は、一般家庭やマンションやアパートなどの玄関のドアや扉、車のドアの中や、金庫の内側や、家の中の部屋のドアや扉や、会社の中のドアや扉など色んな所に、簡単に取り付けが出来る。
「図１４」、「図１５」、「図２０」、「図２１」のように取り付けられ、確実にロックされ開かなくなる。
【図面の簡単な説明】
【００１３】
【図１】  本体の断面図
【図２】  本体全体の断面図
【図３】  ロックピン部の断面図
【図４】  鍵本体の断面図
【図５】  鍵本体の部分断面図並び正面図
【図６】  鍵本体のＢ−Ｂ断面図
【図７】  鍵本体のシリンダー内部の部品の断面図
【図８】  鍵本体への配線図
【図９】  鍵本体への受信機とセキュリティーの配線図
【図１０】  本体と補強材取り付け断面図
【図１１】  保護カバーの断面図、正面図、平面図
【図１２】  本体の寸法の断面図、平面図
【図１３】  ピン受け金具とピン座金の寸法の断面図、平面図
【図１４】  車体への取り付け断面図、平面図
【図１５】  車体のドア内部への取り付け断面図、正面図
【図１６】  車体の専用鍵の取り付け断面図
【図１７】  ピン座金の正面図、平面図、断面図
【図１８】  保護カバーの側面図、平面図、正面図
【図１９】  車体への専用鍵の取り付け配線図
【図２０】  車体へのリモコンスイッチの配線図
【図２１】  本体の取り付け方の正面図、断面図
【図２２】  金庫への取り付け方の正面図、断面図
【符号の説明】
【００１４】１  、扉の外側                      ４１、雄ネジ
２  、本体  ステンレス材            ４２、ピン止めリング
３  、鉄心にコイルを巻き付ける      ４３、凹に溝を付ける
４  、保護カバー取り付けネジ穴      ４４、室内側の電極板の配線、１８へ
５  、電磁石部補強材                ４５、鍵本体の保護カバー内側
６  、ロック用補強材                ４６、鍵本体の保護カバー外側
７  、溶接カ所                      ４７、室内からのロックハンドル
８  、ロック用ピン案内穴            ４８、室内側のハンドル
９  、ロック用ピン受け金具          ４９、鍵本体の固定ネジ
１０、ロック用ピン受け穴            ５０、室内側の扉の内板
１１、縵に曲げる                    ５１、ターミナル固定ネジ
１２、ピン受け金具の補強材          ５２、電極板固定ネジ
１３、直角に曲げる                  ５３、鍵本体の固定ネジ
１４、本体取り付け固定ネジ          ５４、合い鍵のキーポイント
１５、扉側                          ５５、電源側の受信機か電源へ
１６、電磁石部                      ５６、電磁石部のコイルに接続
１７、コイル  エナメル線            ５７、締め工具が使える用に削る
１８、コイル  エナメル線            ５８、電源ボックス
１９、ロック用ピン                  ５９、差し込みプラグ
２０、バネ                          ６０、ＡＣ、ＤＣアダプターコード
２１、バネ止め座金                  ６１、ＡＣ、ＤＣアダプター
２２、リングピン                    ６２、受信機
２３、凹に溝を付ける                ６３、電源部
２４、外側のハンドル                ６４、電磁石部１７より電源部へ
２５、合い鍵                        ６５、電磁石部１８へ接続
２６、扉の外板                      ６６、セキュリティーとして管理室へ
２７、鍵本体のキーポイント          ６７、セキュリティーとして管理室へ
２８、シリンダー側の電極板          ６８、バッテリーより
２９、外側からのシリンダー          ６９、車内のロックレバスイッチに接続
３０、スイッチ用のピン              ７０、車内のスイッチ部
３１、絶縁体                        ７１、ヒャーズに接続
３２、固定ネジ                      ７２、本体の保護カバー
３３、スイッチ用の電極板            ７３、ピン受け金具保護カバー
３４、室内側の電極板                ７４、削り取る
３５、固定ネジ                      ７５、保護カバー取り付け穴
３６、開口部                        ７６、座金
３７、鍵本体のロック部              ７７、固定ネジ
３８、室内側のシリンダー            ７８
３９、バネ                          ７９
４０、雌ネジ                        ８０
【手続補正２】
【補正対象書類名】特許請求の範囲
【補正対象項目名】全文
【補正方法】変更
【補正の内容】
【特許請求の範囲】
【請求項１】
現在の玄関のドア、扉の鍵以外に本品をドアの枠とドア、扉の枠と扉に取付て、完全にロックして専用のキーか送信機、となるリモコンや携帯電話などで本体の電磁石部に電流を流して、電磁石にしてロック用ピンをピン受け金具から引き上げ、ドア、扉の開放が出来る。ドア、扉など普通に閉めたとき、自然にロック用ピンが上がり、ピン受け金具の穴に入った時に完全ロックせれて、ドア、扉が開かなくしたものです。ドア、扉は常時完全ロックされている為に室内や部屋に別に専用のスイッチを設け、外出の時に、専用のスイッチでロックの解除をして、ドア、扉を開けられるようにする。
【請求項２】
現在の車の車体のドアの枠部とドアの上部に「図  １４」の様に取り付けられ、車の製造課程では「図  １５」の様に、ドアの中に取り付けが出来、ドアを閉めた時に、ロック用ピンが完全ロックされてドアは開かなくなる。現在のリモコンスイッチに接続出来て、現在と同じようにドアの開放が出来る。別に専用のドアキー「図  １６」の取り付けも出来、合鍵でのドアの開放が出来る。現在の車内のロック用のレバーかハンドルに配線を接続して、車内からのスイッチとして、ドアの開放をする。
【手続補正３】
【補正対象書類名】図面
【補正対象項目名】全図
【補正方法】変更
【補正の内容】
【図１】
2005220722.tif 000018
【図２】
2005220722.tif 000019
【図３】
2005220722.tif 000020
【図４】
2005220722.tif 000021
【図５】
2005220722.tif 000022
【図６】
2005220722.tif 000023
【図７】
2005220722.tif 000024
【図８】
2005220722.tif 000025
【図９】
2005220722.tif 000026
【図１０】
2005220722.tif 000027
【図１１】
2005220722.tif 000028
【図１２】
2005220722.tif 000029
【図１３】
2005220722.tif 000030
【図１４】
2005220722.tif 000031
【図１５】
2005220722.tif 000032
【図１６】
2005220722.tif 000033
【図１７】
2005220722.tif 000034
【図１８】
2005220722.tif 000035
【図１９】
2005220722.tif 000036
【図２０】
2005220722.tif 000037
【図２１】
2005220722.tif 000038
【図２２】
2005220722.tif 000039